(57)【要約】【課題】並列に配置される表示パネル同士の繋ぎ目の非表示の部分を見えなくすると共に、表示パネルのカバー体の破損の危険性が低減される表示装置を提供する。【解決手段】表示装置は、少なくとも２つの表示パネルを有し、少なくとも２つの該表示パネルを並列に配置可能に構成される表示体と、透光性を有する少なくとも２つの板状部を有し、該板状部を上記表示パネル毎に上記表示パネルの観察者側に並列に配置可能に構成されるカバー体とを備え、上記板状部の少なくとも１つは、自身の外縁の少なくとも一部にカバー体傾斜面を有し、上記カバー体傾斜面は、上記板状部の面方向かつ厚み方向へ傾斜し、上記カバー体は、上記板状部が並列に配置された際に上記表示パネルの表面の面垂直方向から見て、一方の上記板状部の上記カバー体傾斜面の少なくとも一部が他方の上記板状部と重なり合う重なり合い領域を有する。【選択図】  図１
2018180148.tif 000002
【特許請求の範囲】
【請求項１】
少なくとも２つの表示パネルを有し、少なくとも２つの該表示パネルを並列に配置可能に構成される表示体と、
透光性を有する少なくとも２つの板状部を有し、該板状部を前記表示パネル毎に前記表示パネルの観察者側に並列に配置可能に構成されるカバー体と、
を備え、
少なくとも２つの前記板状部の少なくとも１つは、自身の外縁の少なくとも一部にカバー体傾斜面を有し、
前記カバー体傾斜面は、前記板状部の面方向かつ厚み方向へ傾斜し、
前記カバー体は、前記板状部が並列に配置された際に前記表示パネルの表面の面垂直方向から見て、一方の前記板状部の前記カバー体傾斜面の少なくとも一部が他方の前記板状部と重なり合う重なり合い領域を有することを特徴とする、
表示装置。
【請求項２】
前記カバー体傾斜面は、曲面および平面の少なくとも一方で構成されることを特徴とする、
請求項１に記載の表示装置。
【請求項３】
前記表示パネルは、映像が表示される表示部を有し、
前記カバー体傾斜面は、自身の少なくとも一部が前記表示部の外縁より前記表示部の表面の面方向、かつ、前記表示部から離れる側へ配置されることを特徴とする、
請求項１または２に記載の表示装置。
【請求項４】
前記表示部は、自身の外縁の少なくとも一部に表示部傾斜面を有し、
前記表示部傾斜面は、前記表示部の表面の面方向かつ厚み方向へ傾斜し、
２つの前記表示パネルが並列に配置された場合、隣接する前記表示パネルにおける前記表示傾斜面同士が対向することを特徴とする、
請求項３に記載の表示装置。
【請求項５】
並列に配置可能に構成される少なくとも２つの表示パネルを覆うカバー体であって、
透光性を有する少なくとも２つの板状部と、
前記表示パネル毎に前記表示パネルの観察者側に少なくとも２つの前記板状部を並列に配置可能に構成される保持体と、
を備え、
少なくとも２つの前記板状部の少なくとも１つは、前記板状部の外縁の少なくとも一部にカバー体傾斜面を有し、
前記カバー体傾斜面は、前記板状部の面方向かつ厚み方向へ傾斜し、
前記カバー体は、前記板状部が並列に配置された際に、前記表示パネルの表面の面垂直方向から見て、一方の前記板状部の前記カバー体傾斜面の少なくとも一部が他方の前記板状部と重なり合う重なり合い領域を有することを特徴とする、
カバー体。
【発明の詳細な説明】
【技術分野】
【０００１】
本発明は、表示装置および表示装置の表示パネルの表面を覆うカバー体に関する。
【背景技術】
【０００２】
従来、並列に配置された液晶表示パネル毎に透光性カバーが配置された液晶表示装置が提案されている（例えば、特許文献１参照）。透光性カバーは液晶表示パネルの観察者側に並列に配置される。上記液晶表示パネルは、表示領域と額縁領域とを有する。また、上記透光性カバーのエッジ部分にはレンズ部が設けられている。そして、レンズ部は、液晶表示パネルの表示領域と額縁領域との間の境界を跨ぐように配置されている。
【０００３】
以上のようにレンズ部が配置されると、液晶表示パネルのエッジ付近の表示部の映像がレンズ部の作用により額縁領域の前面までシフトされる。シフトされた映像により額縁領域が覆われて額縁領域が見え難くなる。したがって、液晶表示装置によれば、液晶表示パネルをタイリングした場合に画像の繋ぎ目として見える額縁領域が外部から視認されないようにすることができる。
【０００４】
また、第１表示画面を有する第１表示パネルおよび第２表示画面を有する第２表示パネルを移動させて第１表示画面および第２表示画面により大表示画面を形成させる移動式の表示装置が本願発明者によって提案されている（例えば、特許文献２参照）。移動式の表示装置の第１表示パネルおよび第２表示パネルに上記透光性カバーが設けられると、大表示画面が形成される際に、第１表示パネルおよびと第２表示パネルの繋ぎ目に額縁領域を表示させずに済む。
【先行技術文献】
【特許文献】
【０００５】
【特許文献１】特開２０１２−２１５８８６号公報
【特許文献２】特開２０１３−２１８０１６号公報
【発明の概要】
【発明が解決しようとする課題】
【０００６】
上記液晶表示装置において並列に配置される透光性カバー同士の繋ぎ目を目立たなくするため、観察者側から見て透光性カバー同士の繋ぎ目に隙間を作らないようにすることが好ましい。
【０００７】
また、透光性カバー付きの第１表示パネルおよび第２表示パネルを有する移動式の表示装置において、透光性カバー付きの第１表示パネルおよび第２表示パネルを移動させて大表示画面を形成させる際に、透光性カバー同士の隙間を０にすると、レンズ部同士が接触して破損する可能性が高い。
【０００８】
本発明は、斯かる実情に鑑み、並列に配置される表示パネル同士の繋ぎ目の非表示の部分を見えなくすると共に、表示パネルのカバー体の破損の危険性が低減される表示装置、および、そのカバー体を提供しようとするものである。
【課題を解決するための手段】
【０００９】
本発明は上記課題を解決するために設けられたものであり、本発明の表示装置は、少なくとも２つの表示パネルを有し、少なくとも２つの該表示パネルを並列に配置可能に構成される表示体と、透光性を有する少なくとも２つの板状部を有し、該板状部を上記表示パネル毎に上記表示パネルの観察者側に並列に配置可能に構成されるカバー体と、を備え、少なくとも２つの上記板状部の少なくとも１つは、自身の外縁の少なくとも一部にカバー体傾斜面を有し、上記カバー体傾斜面は、上記板状部の面方向かつ厚み方向へ傾斜し、上記カバー体は、上記板状部が並列に配置された際に上記表示パネルの表面の面垂直方向から見て、一方の上記板状部の上記カバー体傾斜面の少なくとも一部が他方の上記板状部と重なり合う重なり合い領域を有することを特徴とする。
【００１０】
また、本発明の表示装置において、上記カバー体傾斜面は、曲面および平面の少なくとも一方で構成されることを特徴とする。
【００１１】
また、本発明の表示装置において、上記表示パネルは、映像が表示される表示部を有し、上記カバー体傾斜面は、自身の少なくとも一部が上記表示部の外縁より上記表示部の表面の面方向、かつ、上記表示部から離れる側へ配置されることを特徴とする。
【００１２】
また、本発明の表示装置において、上記表示部は、自身の外縁の少なくとも一部に表示部傾斜面を有し、上記表示部傾斜面は、上記表示部の表面の面方向かつ厚み方向へ傾斜し、２つの上記表示パネルが並列に配置された場合、隣接する上記表示パネルにおける上記表示傾斜面同士が対向することを特徴とする。
【００１３】
また、本発明のカバー体は、並列に配置可能に構成される少なくとも２つの表示パネルを覆うカバー体であって、透光性を有する少なくとも２つの板状部と、上記表示パネル毎に上記表示パネルの観察者側に少なくとも２つの上記板状部を並列に配置可能に構成される保持体と、を備え、少なくとも２つの上記板状部の少なくとも１つは、上記板状部の外縁の少なくとも一部にカバー体傾斜面を有し、上記カバー体傾斜面は、上記板状部の面方向かつ厚み方向へ傾斜し、上記カバー体は、上記板状部が並列に配置された際に、上記表示パネルの表面の面垂直方向から見て、一方の上記板状部の上記カバー体傾斜面の少なくとも一部が他方の上記板状部と重なり合う重なり合い領域を有することを特徴とする。
【発明の効果】
【００１４】
本発明の表示装置によれば、並列に配置される表示パネル同士の繋ぎ目の非表示の部分を見えなくすると共に、表示パネルのカバー体の破損の危険性が低減されるという優れた効果を奏し得る。また、カバー体によれば、並列に配置される表示パネル同士の繋ぎ目の非表示の部分を見えなくすると共に、自身の破損の危険性が低減されるという優れた効果を奏し得る。
【図面の簡単な説明】
【００１５】
【図１】（ａ）は、本発明の第１の実施形態における表示装置の各構成要素それぞれの斜視図である。（ｂ）は、上記各構成要素が並列に配置された表示装置の斜視図である。
【図２】本発明の第１の実施形態における上記各構成要素が並列に配置された表示装置の断面図である。（ｂ）は、本発明の第１の実施形態における表示装置の変形例の断面図である。
【図３】（ａ）は、本発明の第２の実施形態における表示装置の板状部の外縁近傍を示す断面図である。（ｂ）は、本発明の第２の実施形態における各構成要素が並列に配置された表示装置の断面図である。（ｃ）は、本発明の第２の実施形態における表示装置の板状部同士が重なる部分の断面図である。
【図４】（ａ）は、本発明の第３の実施形態における表示装置の板状部の外縁近傍を示す断面図である。（ｂ）は、本発明の第３の実施形態における表示装置の別の板状部の外縁近傍を示す断面図である。（ｃ）は、本発明の第３の実施形態における表示装置の各構成要素が並列に配置された表示装置の断面図である。
【図５】本発明の第４の実施形態における表示装置の各構成要素が並列に配置された表示装置の断面図である。
【図６】（ａ）〜（ｃ）は、それぞれ本発明の第５〜７の実施形態における表示装置の各構成要素が並列に配置された表示装置の断面図である。
【図７】（ａ）は、本発明の第８の実施形態における表示装置の各構成要素が並列に配置された表示装置の断面図である。（ｂ）は、本発明の第９の実施形態における表示装置の各構成要素が並列に配置された表示装置の断面図である。
【図８】（ａ）は、本発明の第１０の実施形態における表示装置の各構成要素それぞれの斜視図である。（ｂ）は、上記各構成要素が並列に配置された表示装置の斜視図である。
【図９】本発明の第１０の実施形態における表示装置の上記各構成要素が並列に配置された表示装置の断面図である。（ｂ）は、本発明の第１０の実施形態における表示装置において光が屈折する様子を示す図である。
【図１０】（ａ）〜（ｄ）は、それぞれ本発明の第１１〜１４の実施形態における表示装置の各構成要素が並列に配置された表示装置の断面図である。
【図１１】（ａ）は、本発明の第１５の実施形態における表示装置の斜視図である。（ｂ）は、本発明の第１５の実施形態における表示装置の側面図である。
【図１２】（ａ）は、本発明の第１５の実施形態における表示装置の第１表示ユニットおよび第２表示ユニットの移動態様を説明する図である。（ｂ）は、本発明の第１５の実施形態における表示装置において第１表示ユニットおよび第２表示ユニットを移動させた様子を示す斜視図である。
【図１３】（ａ）（ｂ）は、本発明の第１５の実施形態における表示装置の第１表示ユニットおよび第２表示ユニットの移動を時系列に並べた図である。（ｃ）（ｄ）は、（ｂ）の一点鎖線円形領域における第１表示ユニットおよび第２表示ユニットの移動を時系列に並べた図である。
【図１４】（ａ）は、本発明の第１５の実施形態における表示装置の第１表示ユニットおよび第２表示ユニットをＸ方向の移動のみで並列に配置する様子を示す図である。（ｂ）は、本発明の第１５の実施形態における表示装置の第１表示ユニットおよび第２表示ユニットをＺ方向の移動のみで並列に配置する様子を示す図である。
【発明を実施するための形態】
【００１６】
以下、本発明の実施の形態を添付図面を参照して説明する。
【００１７】
＜第１の実施形態＞
＜全体構成＞
図１を参照して、本発明の第１の実施形態における表示装置１について説明する。表示装置１は、図１（ａ）に示すように、表示体１０とカバー体１７とを備える。
【００１８】
表示体１０は、図１（ａ）に示すように、少なくとも２つの表示パネル１１，１２を有する。表示パネル１１，１２は、図１（ｂ）に示すように、並列に配置可能である。表示パネル１１は、表示部１３と、非表示部１５とを備える。表示パネル１２は、表示部１４と、非表示部１６とを備える。表示部１３は、表示画面１３ａを有する。表示部１４は、表示画面１４ａを有する。表示画面１３ａ，１４ａには映像が表示される。非表示部１５，１６には映像が表示されない。非表示部１５，１６には、例えば、額縁（ベゼル）が配置される。
【００１９】
カバー体１７は、少なくとも板状部１８，１９を有する。板状部１８は、表示パネル１１に対応する。板状部１９は、表示パネル１２に対応する。そして、板状部１８は、表示パネル１１の表示画面１３ａ上に配置される。板状部１９は、表示パネル１２の表示画面１４ａ上に配置される。図１（ｂ）に示すように、表示パネル１１および表示パネル１２が並列に配置されれば、板状部１８，１９も並列に配置される。
【００２０】
なお、表示パネル１１，１２および板状部１８，１９は、並列に配置されるよう（図示しない）筐体に収容・固定される態様であってもよいし、移動可能な機構により移動されて並列に配置される態様であってもよい。また、表示パネル１１，１２および板状部１８，１９は、結果として並列に配置されるその他の態様であっってもよい。
【００２１】
板状部１８，１９は、透光性を有する。表示パネル１１，１２に表示される映像を外部から鮮明に見ることができるように、板状部１８，１９は、特に、透明な材質で構成されることが好ましい。
【００２２】
＜板状部の形状＞
次に、図１，２を参照して板状部１８，１９の形状について説明する。板状部１８，１９は、図１（ａ）に示すように、それぞれ平面部１８０，１９０と、傾斜面部１８５，１９５とで構成される。平面部１８０，１９０は、略四角形の板である。なお、平面部１８０，１９０は、平面状に形成されていれば、その他の形状であってもよい。
【００２３】
傾斜面部１８５，１９５は、略三角柱の細長い部材である。傾斜面部１８５，１９５を構成する略三角柱の断面形状は、一部が曲線で構成される略直角三角形である。傾斜面部１８５，１９５の長さ方向の長さは、平面部１８０，１９０の一辺１８０ａ，１９０ａと同じである。平面部１８０，１９０と傾斜面部１８５，１９５とは、それぞれ一辺１８０ａ，１９０ａ部分において結合された態様になっている。
【００２４】
そして、傾斜面部１８５，１９５は、カバー体傾斜面１８２，１９２を有する。カバー体傾斜面１８２，１９２は、傾斜面部１８５，１９５を構成する略三角柱の側面のうち上記略直角三角形の断面の斜辺に相当する側面である。
【００２５】
以上のように構成されるカバー体傾斜面１８２，１９２は、図２（ａ）に示すように、平面部１８０，１９０の一方側の平面１８０ｃ，１９０ｃの外縁１８０ｂ，１９０ｂを起点として、それぞれ平面部１８０，１９０の面方向の平面部１８０，１９０の面内から面外へ向かう側、かつ平面部１８０，１９０の厚み方向へ傾斜する傾斜面となる。
【００２６】
板状部１８，１９全体として見た場合、カバー体傾斜面１８２，１９２は、図１（ａ）に示すように、板状部１８，１９の外縁１８１，１９１に沿って延設され、かつ、外縁１８１，１９１から所定の幅Ｄを有する板状部１８，１９の所定領域に形成される。
【００２７】
また、カバー体傾斜面１８２，１９２は、カバー体傾斜面１８２，１９２の面垂直方向の面から離れる側へ凸となる曲面により形成される。つまり、カバー体傾斜面１８２，１９２は、凸レンズを構成する。一方、カバー体傾斜面１８２，１９２が形成される側とは反対側の板状部１８，１９の面は平面である。したがって、傾斜面部１８５，１９５は、平凸レンズを構成する。
【００２８】
なお、図１（ａ）に示すように、平面部１８０，１９０の一辺１８０ａ，１９０ａと対向する辺１８０ｄ，１９０ｄにもカバー体傾斜面を有する傾斜面部が設けられる態様であってもよい。また、平面部１８０，１９０のその他の辺にもカバー体傾斜面を有する傾斜面部が設けられる態様であってもよい。さらに、平面部１８０，１９０のそれぞれの辺全体にわたってカバー体傾斜面を有する傾斜面部が設けられてもよいし、辺の少なくとも一部にカバー体傾斜面を有する傾斜面部が設けられてもよい。
【００２９】
＜板状部の配置＞
次に、図２を参照して表示パネル１１，１２が並列に配置された際の板状部１８，１９の配置について説明する。なお、以下において、板状部１８，１９をはじめとする板状部および表示パネル１１，１２をはじめとする表示パネルの観察者９００と対向する側の面を板状部および表示パネルの表面と定義し、それと反対側の面を板状部および表示パネルの裏面と定義する。なお、表示パネルの表面は表示画面の表面に相当する。
【００３０】
＜板状部１８の配置＞
板状部１８は、図２（ａ）に示すように、表示パネル１１の観察者９００側に配置される。そして、板状部１８の外縁１８１は、表示パネル１１の表面１１ａの面垂直方向から見て、表示パネル１１の表示部１３の外縁１３１よりも非表示部１５側に配置される。
【００３１】
なお、図２（ａ）に示すように、板状部１８の外縁１８１は、表示パネル１１の表面１１ａの面垂直方向から見て、非表示部１５の外縁１５１よりも表示パネル１２側に配置されてもよいし、非表示部１５の外縁１５１よりも表示パネル１１側に配置されてもよい。
【００３２】
また、板状部１８は、カバー体傾斜面１８２が表示パネル１１の観察者９００と対向するように配置される。つまり、板状部１８は、表示パネル１１の表面１１ａの面垂直方向から見て、カバー体傾斜面１８２が表示パネル１１の表面１１ａの面方向の表示パネル１１から表示パネル１２へ向かう側、かつ、表示パネル１１の表面１１ａの面垂直方向の表面１１ａから裏面１１ｂへ向かう側へ傾斜するよう配置される。これにより、板状部１８は、板状部１８の凸レンズ部分が観察者９００と対向するよう配置される。
【００３３】
また、図２（ａ）においてカバー体傾斜面１８２は、表示パネル１１の表示部１３の外縁１３１を横断するように表示部１３側から非表示部１５側へ向かって延びる。なお、図２（ｂ）に示すように、カバー体傾斜面１８２全体が表示パネル１１の表示部１３の外縁１３１よりも非表示部１５側に配置される場合も本発明の範囲に含まれる。
【００３４】
＜板状部１９の配置＞
板状部１９は、図２（ａ）に示すように、表示パネル１２の観察者９００側に配置される。そして、板状部１９の外縁１９１は、表示パネル１２の表面１２ａの面垂直方向から見て、表示パネル１２の表示部１４の外縁１４１よりも非表示部１６側に配置される。
【００３５】
なお、図２（ａ）に示すように、板状部１９の外縁１９１は、表示パネル１２の表面１２ａの面垂直方向から見て、非表示部１６の外縁１６１よりも表示パネル１１側に配置されてもよいし、非表示部１６の外縁１６１よりも表示パネル１２側に配置されてもよい。
【００３６】
また、板状部１９は、カバー体傾斜面１９２が表示パネル１２と対向するように配置される。つまり、板状部１９は、表示パネル１２の表面１２ａの面垂直方向から見て、カバー体傾斜面１９２が表示パネル１２の表面１２ａの面方向の表示パネル１２から表示パネル１１へ向かう側、かつ、表示パネル１２の表面１２ａの面垂直方向の裏面１２ｂから表面１２ａへ向かう側へ傾斜するよう配置される。これにより、板状部１９は、板状部１９の凸レンズ部分が表示パネル１２と対向するよう配置される。
【００３７】
また、図２（ａ）においてカバー体傾斜面１９２は、表示パネル１２の表示部１４の外縁１４１を横断するように表示部１４側から非表示部１６側へ向かって延びる。なお、図２（ｂ）に示すように、カバー体傾斜面１９２全体が表示パネル１２の表示部１４の外縁１４１よりも非表示部１６側に配置される場合も本発明の範囲に含まれる。
【００３８】
＜板状部１８，１９の配置＞
図２（ａ）に示すように、板状部１８，１９が表示パネル１１，１２に対して上記説明したように配置されれば、表示部１３，１４の外縁１３１，１４１近傍の映像が凸レンズ（カバー体傾斜面１８２，１９２）の作用によりそれぞれ非表示部１５，１６側にシフト（図２（ａ）の一点鎖線参照）されたように観察者９００には見える。表示部１３，１４の外縁１３１，１４１近傍の映像が非表示部１５，１６の表面の面垂直方向に表示されるようにシフトされれば、観察者９００から見て非表示部１５，１６は表示部１３，１４の外縁１３１，１４１近傍の映像により覆われるため、非表示部１５，１６を見え難くすることができる。
【００３９】
また、平面部１８０の一方側の平面１８０ｃと平面部１９０の他方側の平面１９０ｅとは、同一平面上に配置される。平面部１８０，１９０は厚みが同じであるからである。結果、観察者９００から見て板状部１８，１９の表面は同一平面を構成するように見える。
【００４０】
また、以上のように配置されるカバー体傾斜面１８２，１９２は互いに対向する。また、板状部１８，１９は、図２（ａ）に示すように、それぞれ表示パネル１１，１２の表面１１ａ，１２ａの面垂直方向から見て重なり合う。なお、表示パネル１１，１２の表面１１ａ，１２ａの面垂直方向から見て板状部１８，１９が重なり合う領域１００を重なり合い領域１００と呼び、以下においてもこの用語を適宜同様に用いることとする。
【００４１】
重なり合い領域１００においてカバー体傾斜面１８２の一部とカバー体傾斜面１９２の一部とが重なり合う。なお、重なり合い領域１００においてカバー体傾斜面１８２の全部とカバー体傾斜面１９２の全部とが重なり合う場合、カバー体傾斜面１８２の一部とカバー体傾斜面１９２の全部とが重なり合う場合、カバー体傾斜面１８２の全部とカバー体傾斜面１９２の一部とが重なり合う場合も本発明に含まれる。
【００４２】
また、図２（ａ）に示すように、重なり合い領域１００においてカバー体傾斜面１８２とカバー体傾斜面１９２とを接触させないように板状部１８，１９は配置されることが好ましい。すなわち、板状部１８，１９は、自身の面方向かつ厚み方向に隙間を有するように配置されることが好ましい。板状部１８，１９同士を接触させると、カバー体傾斜面１８２およびカバー体傾斜面１９２が破損するおそれがあるからである。
【００４３】
また、板状部１８，１９の外縁１８１，１９１を構成する突端は丸みを帯びるように形成されることが好ましい。すなわち、板状部１８，１９の突端は曲面で形成されることが好ましい。重なり合い領域１００において、観察者９００側に配置される板状部１９の突端（外縁１９１）が丸みを帯びていると、観察者９００が板状部１８，１９の繋ぎ目部分に触れてもケガをする危険性が低いからである。一方、重なり合い領域１００において表示パネル１１，１２側に配置される板状部１８の突端（外縁１８１）に観察者９００が触れようとしても板状部１９の突端があるため、触れることができない。このため、板状部１８の突端（外縁１８１）は、丸みを帯びていてもいなくてもよい。
【００４４】
なお、以上のことは本実施形態だけでなく、以下において説明する他の実施形態においても同様に適用可能である。すなわち、他の実施形態においても重なり合い領域において、観察者９００側に配置される板状部の突端または角が尖っておらず丸みを帯びている（曲面で形成される）ことが好ましい。板状部同士の繋ぎ目に観察者９００が触れてもケガをする危険性が低くなるからである。
【００４５】
また、カバー体傾斜面１８２，１９２の曲面形状は、表面１１ａ，１２ａの面垂直方向から見て、表示パネル１１，１２の繋ぎ目部分の映像が観察者９００から見て違和感ある変形した表示にならないようなものにすることが好ましい。つまり、表示パネル１１，１２の繋ぎ目部分の映像が違和感なく繋げられたものになるようカバー体傾斜面１８２，１９２のレンズとしての形状は形成される。
【００４６】
重なり合い領域１００を設ければ、表示パネル１１，１２の表面１１ａ，１２ａの面垂直方向から見て、板状部１８，１９の間に隙間は生じないように見える。これにより、表示パネル１１，１２の表面１１ａ，１２ａの面垂直方向から見て、板状部１８，１９の繋ぎ目に隙間ができない表示装置１を実現することができる。さらに、板状部１８，１９の繋ぎ目部分にレンズ機能を有するカバー体傾斜面を配置しているため、表示パネル１１，１２の非表示部１５，１６を観察者９００から見え難くすると共に、表示パネル１１，１２の表示部１３，１４の外縁１３１，１４１付近の映像を違和感なく繋げて観察者９００に対して見せることができる。
【００４７】
＜第２の実施形態＞
＜全体構成＞
本発明の第２の実施形態における表示装置の全体構成は、表示装置１と略同様である。本発明の第２の実施形態における表示装置と表示装置１との相違点は板状部である。以下において相違点である本発明の第２の実施形態における板状部２０について説明する。
【００４８】
＜板状部の形状＞
まず、図３を参照して板状部２０について説明する。板状部２０は、板状部１８，１９とほぼ同様の構成であるが、両者の相違点はカバー体傾斜面の態様である。以下、板状部２０と板状部１８，１９の相違点であるカバー体傾斜面の形状について説明する。
【００４９】
板状部２０は、図３（ａ）に示すように、平面部２００と、傾斜面部２０２とで構成される。平面部２００は、略四角形の板である。なお、平面部２００は、平面状に形成されていれば、その他の形状であってもよい。
【００５０】
傾斜面部２０２は、略三角柱の細長い部材である。傾斜面部２０２を構成する三角柱の断面形状は、一部が曲線で構成され、頂角部分の突端２０２ａが丸みを帯びた略２等辺三角形である。また、傾斜面部２０２の長さ方向の長さは、平面部２００の辺２００ａと同じである。平面部２００と傾斜面部２０２とは、それぞれ辺２００ａ部分において結合された態様になっている。
【００５１】
そして、傾斜面部２０２は、カバー体傾斜面２０３，２０４を有する。カバー体傾斜面２０３，２０４は、傾斜面部２０２を構成する略三角柱の３つの側面のうち略２等辺三角形の断面の等辺に相当する２つの側面である。
【００５２】
以上のように構成されるカバー体傾斜面２０３は、平面部２００の一方側の平面２０ａの外縁２００ｂを起点として、平面部２００の面方向の面内から面外へ向かう側、かつ平面部２００の厚み方向内側（平面部２００の厚み方向の平面２０ａから中心面Ｃ１へ向かう側）へ傾斜する傾斜面となる。カバー体傾斜面２０４は、平面部２００の他方側の平面２０ｂの外縁２００ｃを起点として、平面部２００の面方向の面内から面外へ向かう側、かつ平面部２００の厚み方向内側（平面部２００の厚み方向の平面２０ｂから中心面Ｃ１側）へ傾斜する傾斜面となる。
【００５３】
板状部２０全体として見た場合、カバー体傾斜面２０３，２０４は、図１（ａ）に示す板状部１８，１９のカバー体傾斜面１８２，１９２と同様に、板状部２０の外縁２０１に沿って延設され、かつ、外縁２０１から所定の幅Ｅを有する板状部２０の所定領域に形成される。
【００５４】
また、カバー体傾斜面２０３，２０４は、カバー体傾斜面２０３，２０４の面垂直方向の面から離れる側へ凸となる曲面により形成される。つまり、カバー体傾斜面２０３，２０４は、それぞれ凸レンズを構成する。したがって、傾斜面部２０２は、両凸レンズを構成する。
【００５５】
＜板状部の配置＞
次に、図３（ｂ），（ｃ）を参照して、表示パネル１１，１２が並列に配置された際の板状部１８，２０の配置について説明する。なお、板状部１８の表示パネル１１に対する配置は、上記説明した配置と同様であるため、その説明を省略する。
【００５６】
板状部２０は、表示パネル１２の表面１２ａ上に配置される。そして、板状部２０の外縁２０１は、表示パネル１２の表面１２ａの面垂直方向から見て、表示パネル１２の表示部１４の外縁１４１よりも非表示部１６側に配置される。なお、板状部２０の外縁２０１は、表示パネル１２の表面１２ａの面垂直方向から見て、非表示部１６の外縁１６１よりも表示パネル１１側に配置されてもよいし、非表示部１６の外縁１６１よりも表示パネル１２側に配置されてもよい。
【００５７】
また、板状部２０は、カバー体傾斜面２０３が表示パネル１２の観察者９００と対向し、カバー体傾斜面２０４が表示パネル１２と対向するように配置される。つまり、板状部２０は、表示パネル１２の表面１２ａの面垂直方向から見て、カバー体傾斜面２０３が表示パネル１２の表面１２ａの面方向の表示パネル１２から表示パネル１１へ向かう側、かつ、表示パネル１２の表面１２ａの面垂直方向の表面１２ａから裏面１２ｂへ向かう側へ傾斜するよう配置される。
【００５８】
この際、表示パネル１２の表面１２ａの面垂直方向の観察者９００側から見て、カバー体傾斜面２０４は、表示パネル１２の表面１２ａの面方向の表示パネル１２から表示パネル１１へ向かう側、かつ、表示パネル１２の表面１２ａの面垂直方向の裏面１２ｂから表面１２ａへ向かう側へ傾斜するよう配置される。これにより、板状部２０は、板状部２０の一方の凸レンズ部分が観察者９００と対向し、他方の凸レンズ部分が表示パネル１２と対向するよう配置される。
【００５９】
また、図３（ｂ）においてカバー体傾斜面２０３，２０４は、表示パネル１２の表示部１４の外縁１４１を横断するように表示部１４側から非表示部１６側へ向かって延びている。なお、カバー体傾斜面２０３，２０４全体が表示パネル１１の表示部１４の外縁１４１よりも非表示部１６側に配置される場合も本発明の範囲に含まれる。
【００６０】
板状部１８，２０が表示パネル１１，１２に対して上記説明したように配置されれば、表示部１３，１４の外縁１３１，１４１付近の映像がレンズの作用によりそれぞれ非表示部１５，１６側にシフトされたように観察者９００には見える。表示部１３，１４の外縁１３１，１４１近傍の映像が非表示部１５，１６の表面の面垂直方向に表示されるようにシフトされれば、観察者９００から見て非表示部１５，１６は表示部１３，１４の外縁１３１，１４１近傍の映像により覆われるため、非表示部１５，１６を見え難くすることができる。
【００６１】
また、平面部２００の一方側の平面２０ａと平面部１８０の一方側の平面１８０ｃとは、同一平面上に配置される。平面部１８０，２００は厚みが同じであるからである。結果、観察者９００から見て板状部１８，２０の表面は同一平面を構成するように見える。
【００６２】
また、板状部１８，２０は、図３（ｂ）に示すように、表示パネル１１，１２の表面１１ａ，１２ａの面垂直方向の観察者９００側から見て重なり合う。したがって、板状部１８，２０は、重なり合い領域２０５を有する。重なり合い領域２０５においてカバー体傾斜面１８２の一部とカバー体傾斜面２０３の一部とが重なり合う。
【００６３】
なお、重なり合い領域２０５においてカバー体傾斜面１８２の全部とカバー体傾斜面２０３，２０４の少なくとも一方の全部とが重なり合う場合、カバー体傾斜面１８２の一部とカバー体傾斜面２０３，２０４の少なくとも一方の全部とが重なり合う場合、カバー体傾斜面１８２の全部とカバー体傾斜面２０３，２０４の少なくとも一方の一部とが重なり合う場合も本発明に含まれる。
【００６４】
また、カバー体傾斜面１８２は、図３（ｃ）に示すように、重なり合い面１８２ａと、非重なり合い面１８２ｂとにより構成される。重なり合い面１８２ａは、重なり合い領域２０５に配置されるカバー体傾斜面１８２の一部であり、表示パネル１１，１２の表面１１ａ，１２ａの面垂直方向から見て板状部２０と重なり合う面である。非重なり合い面１８２ｂは、重なり合い領域２０５に配置されないカバー体傾斜面１８２の一部である。
【００６５】
図３（ｃ）に示すように、非重なり合い面１８２ｂとカバー体傾斜面２０３とで凹部２０８が形成される。この凹部２０８は、板状部１８，２０の繋ぎ目に形成される。表示パネル１１，１２の表面１１ａ，１２ａの面垂直方向から見て凹部２０８の深さが深すぎると、板状部１８，２０の繋ぎ目が目立ってしまう。このため、凹部２０８の深さはできる限り浅くなるよう非重なり合い面１８２ｂとカバー体傾斜面２０３の傾斜を緩やかにすることが好ましい。凹部２０８の深さとして、例えば、平面部２００の厚みの１／３以下が好ましく、特に、平面部２００の厚みの１／４または１／５以下がより好ましい。このことは他の実施形態においても同様である。
【００６６】
また、図３（ｂ）に示すように、重なり合い領域２０５においてカバー体傾斜面１８２と外縁２０１とが接触しないように板状部１８，２０は配置されることが好ましい。すなわち、板状部１８，２０は、自身の面方向かつ厚み方向に隙間を有するように配置されることが好ましい。板状部１８，２０同士を接触させると、カバー体傾斜面１８２およびカバー体傾斜面２０３が破損するおそれがあるからである。
【００６７】
なお、重なり合い領域２０５においてカバー体傾斜面１８２と板状部２０の外縁２０１とが当接するように配置されてもよい。この場合、外力により板状部１８，２０が移動しないように板状部１８，２０を固定したり、または、傾斜面部１８５，２０２が破損し難い素材で形成されたりしていることが好ましい。また、並列に配置される板状部同士が当接するように配置させることは、本実施形態に限るものではなく、本明細書で説明する他の実施形態においても適宜適用可能である。
【００６８】
重なり合い領域２０５を設ければ、表示パネル１１，１２の表面１１ａ，１２ａの面垂直方向から見て、板状部１８，２０の間に隙間は生じないように見える。これにより、表示パネル１１，１２の表面１１ａ，１２ａの面垂直方向から見て、板状部１８，２０の繋ぎ目に隙間ができない表示装置を実現することができる。
【００６９】
＜第３の実施形態＞
＜全体構成＞
本発明の第３の実施形態における表示装置の全体構成は、表示装置１と略同様である。本発明の第３の実施形態における表示装置と表示装置１との相違点は板状部である。以下において相違点である本発明の第３の実施形態における板状部２１，２２について説明する。
【００７０】
＜板状部の形状＞
図４を参照して板状部２１，２２について説明する。図４（ａ），（ｂ）に示すように、板状部２１，２２は、平面部２１０，２２０と、傾斜面部２１２，２２２とを有する。平面部２１０，２２０は、略四角形の板である。なお、平面部２１０，２２０は、平面状に形成されていれば、その他の形状であってもよい。
【００７１】
傾斜面部２１２，２２２は、略三角柱の細長い部材である。傾斜面部２１２，２２２における断面の三角形は、略不等辺三角形である。また、傾斜面部２１２，２２２は、平面部２１０，２２０の辺２１０ａ，２２０ａと同じ長さである。平面部２１０，２２０と傾斜面部２１２，２２２とは、それぞれ辺２１０ａ，２２０ａ部分において一体形成された態様になっている。
【００７２】
そして、傾斜面部２１２は、カバー体傾斜面２１３，２１４を有する。カバー体傾斜面２１３，２１４は、傾斜面部２１２を構成する略三角柱の３つの側面のうち２つの側面である。また、カバー体傾斜面２１３，２１４同士が接する部分である板状部２１の外縁２１１は、板状部２１の厚み方向中心Ｃ２より平面部２１０の一方側の平面２１ａ側に所定距離Ｈ１だけ偏った位置に形成される。
【００７３】
以上のように構成されるカバー体傾斜面２１３は、平面部２１０の一方側の平面２１ａの外縁２１０ｂを起点として、板状部２１の外縁２１１まで傾斜する傾斜面となる。なお、傾斜方向は、板状部２０のカバー体傾斜面２０３と同様である。
【００７４】
カバー体傾斜面２１４は、平面部２１０の他方側の平面２１ｂの外縁２１０ｃを起点として、板状部２１の外縁２１１まで傾斜する傾斜面となる。なお、傾斜方向は、板状部２０のカバー体傾斜面２０４と同様である。このため、カバー体傾斜面２１３の方がカバー体傾斜面２１４に比べて緩やかに傾斜する。
【００７５】
また、カバー体傾斜面２１３，２１４は、カバー体傾斜面２１３，２１４の面垂直方向の面から離れる側へ凸となる曲面により形成される。つまり、カバー体傾斜面２１３，２１４は、それぞれ凸レンズを構成する。したがって、傾斜面部２１２は、自身の外縁２１１付近に両凸レンズを有する。
【００７６】
また、板状部２２のカバー体傾斜面２２３，２２４は、それぞれ板状部２１のカバー体傾斜面２１３，２１４に対応するものであり、カバー体傾斜面２１３，２１４と同様に説明できる。
【００７７】
＜板状部の配置＞
次に、図４（ｃ）を参照して、表示パネル１１，１２が並列に配置された際の板状部２１，２２の配置について説明する。板状部２１，２２の表示パネル１１，１２それぞれに対する配置態様は、板状部２０の場合と同様であり、既に説明済みであるため、説明を省略する。
【００７８】
板状部２１，２２により重なり合い領域２０７が形成されるには、図４（ｃ）に示すように、板状部２１のカバー体傾斜面２１４と表示パネル１１の表面１１ａとの間で形成される重なり合い領域Ｋに、板状部２２のカバー体傾斜面２２３，２２４の少なくとも一部が入り込めばよい。別言すると、領域Ｋに板状部２２の外縁２２１が配置可能なように、板状部２１のカバー体傾斜面２１３，２１４および板状部２２のカバー体傾斜面２２３，２２４は形成される必要がある。
【００７９】
また、平面部２１０の一方側の平面２１ａと平面部２２０の一方側の平面２２ａとは、同一平面上に配置される。平面部２１０，２２０は厚みが同じであるからである。結果、観察者から見て板状部２１，２２の表面は同一平面を構成するように見える。
【００８０】
＜第４の実施形態＞
＜全体構成＞
本発明の第４の実施形態における表示装置の全体構成は、表示装置１と略同様である。本発明の第４の実施形態における表示装置と表示装置１との相違点は板状部である。以下において相違点である本発明の第４の実施形態における板状部２３について説明する。
【００８１】
＜板状部の形状および配置＞
次に、図５を参照して板状部２３について説明する。板状部２３は、平面部２３０と傾斜面部２３２と有する。平面部２３０は、略四角形の板である。なお、平面部２３０は、平面状に形成されていれば、その他の形状であってもよい。
【００８２】
傾斜面部２３２は、断面が曲線を含む略四角形の柱の細長い部材である。平面部２３０と傾斜面部２３２とは、板状部１８〜２２と同様に、所定の一辺で結合された態様になっている。
【００８３】
そして、傾斜面部２３２は、カバー体傾斜面２３３，２３４を有する。カバー体傾斜面２３３，２３４は、傾斜面部２３２を構成する柱の２つの側面である。
【００８４】
以上のように構成されるカバー体傾斜面２３３は、平面部２３０の一方側の平面２３０ａの外縁２３０ｂを起点として、平面部２３０の面方向の面内から面外へ向かう側、かつ平面部２３０の厚み方向の平面部２３０の一方側の平面２３０ａから他方側の平面２３０ｃへ向かう側へ傾斜する傾斜面となる。
【００８５】
また、カバー体傾斜面２３４は、平面部２３０の他方側の平面２３０ｃの外縁２３０ｄを起点として、平面部２３０の面方向の面内から面外へ向かう側、かつ平面部２３０の厚み方向の平面部２３０の他方側の平面２３０ｃから一方側の平面２３０ａへ向かう側へ傾斜する傾斜面となる。
【００８６】
なお、平面２３０ａの外縁２３０ｂおよび平面２３０ｃの外縁２３０ｄの位置は、平面２３０ａ，２３０ｃの面垂直方向から見て一致していない。本発明の第２，３の実施形態における表示装置においてカバー体傾斜面の起点となる平面部の平面の外縁は、平面部の平面の面垂直方向から見て一致していたのとこの点では相違する。このような場合も本発明に含まれる。つまり、傾斜面部２３２のように傾斜面部の断面が三角形でない多角形のものも本発明に含まれる。
【００８７】
板状部２３の配置は、板状部２０〜２２で説明した配置に習って配置させればよい。この場合、板状部１８と板状部２３とにより重なり合い領域２３６が形成される。また、また、平面部２３０の一方側の平面２３０ａと平面部１８０の一方側の平面１８０ｃとは、同一平面上に配置される。平面部１８０，２３０は厚みが同じであるからである。結果、観察者から見て板状部１８，２３の表面は同一平面を構成するように見える。
【００８８】
＜第５〜７の実施形態＞
＜全体構成＞
本発明の第５〜７の実施形態における表示装置の全体構成は、表示装置１と略同様である。本発明の第５〜７の実施形態における表示装置と表示装置１との相違点は板状部である。以下において相違点である本発明の第５〜７の実施形態における板状部について説明する。
【００８９】
＜板状部の形状および配置＞
まず、図６（ａ）を参照して本発明の第５の実施形態における表示装置の板状部２４，２５について説明する。板状部２４，２５は、板状部１８，１９におけるカバー体傾斜面１８２，１９２を曲面ではなく平面に形成したものである。この場合、傾斜面部２４５，２５５は、プリズムを構成する。
【００９０】
傾斜面部２４５の先端の角αおよび傾斜面部２５５の先端の角βは、それぞれ３０〜５０度の範囲内であることが好ましく、その中でも３７〜４５度の範囲内であることがより好ましい。このような傾斜面部がプリズムを構成するようなものも本発明に含まれる。
【００９１】
次に、図６（ｂ），（ｃ）を参照して本発明の第６，７の実施形態における表示装置について説明する。図６（ｂ）に示す本発明の第６の実施形態における表示装置のように表示パネル１１，１２に板状部１９，２０が配置されたものも本発明に含まれる。また、図６（ｃ）に示す本発明の第７の実施形態における表示装置のように表示パネル１１，１２に板状部１９，２６が配置されたものも本発明に含まれる。なお、板状部２６は、板状部２３を裏返したものである。
【００９２】
また、本発明の第５〜７の実施形態における板状部はいずれも平面部の厚みが同じであるため、観察者９００から見て隣り合う板状部の表面は同一平面を構成するように見える。
【００９３】
以上説明した本発明の第１〜７の実施形態における表示装置のうち、本発明の第１，５，７の実施形態における表示装置は、例えば、本発明の第２，３，４，６の実施形態における表示装置と比較して板状部同士の繋ぎ目部分における板状部の表面に高低差が少ないため、観察者９００から見て板状部の繋ぎ目部分が目立たない。
【００９４】
なお、板状部１８〜２６のカバー体傾斜面におけるそれぞれの要素を組み合わせたその他の板状部から成るカバー体および表示装置も本発明に含まれる。
【００９５】
また、以下で説明する本発明の第８，９の実施形態における表示装置のように、板状部１８〜２６のいずれかと、傾斜面部を有しない平面部のみで構成される板状部とが並列に配置されるカバー体も本発明に含まれる。また、表示パネル１１，１２に上記カバー体が配置された表示装置も本発明に含まれる。ただし、いずれの組み合わせであっても重なり合い領域を有するよう板状部は並列に配置される必要がある。
【００９６】
＜第８の実施形態＞
＜全体構成＞
本発明の第８の実施形態における表示装置の全体構成は、表示装置１と略同様である。本発明の第８の実施形態における表示装置と表示装置１との相違点は板状部である。以下において相違点である本発明の第８の実施形態における板状部２７について説明する。
【００９７】
＜板状部の形状＞
まず、図７（ａ）を参照して本発明の第８の実施形態における表示装置の板状部２７について説明する。板状部２７は、上側平面部２７１と下側平面部２７２とにより構成される。上側平面部２７１および下側平面部２７２は、大きさの異なる略四角形の板である。上側平面部２７１および下側平面部２７２は、それぞれの厚み方向が同一方向を向いた状態で重ねられた態様になっており、両者は一体形成される。そして、上側平面部２７１は、突出部２７１ａを有する。突出部２７１ａは、下側平面部２７２の外縁２７４よりも下側平面部２７２の面方向へ突出する上側平面部２７１の一部である。結果、板状部２７は、外縁において段差２７５を有するよう形成される。
【００９８】
＜板状部の配置＞
次に、図７（ａ）を参照して表示パネル１１，１２が並列に配置された際の板状部１９，２７の配置について説明する。板状部１８の表示パネル１２に対する配置態様は既に説明済みであるため、説明を省略する。
【００９９】
板状部２７が表示パネル１１上に配置された際、板状部２７は、図７（ａ）に示すように、板状部１９と共に重なり合い領域２７６が形成されるように配置されればよい。この場合、板状部１８のカバー体傾斜面１８２の少なくとも一部は、突出部２７１ａの下側平面部２７２側の平面２７１ｂと表示パネル１１の表面１１ａとで形成される領域Ｌに配置される。
【０１００】
また、平面部２７１の一方側の平面２７１ｃと平面部１８０の一方側の平面１８０ｃとは、同一平面上に配置される。平面部１８０と板状部２７とは厚みが同じであるからである。結果、観察者９００から見て板状部１８，２７の表面は同一平面を構成するように見える。
【０１０１】
＜第９の実施形態＞
＜表示パネルの配置＞
まず、図７（ｂ）を参照して本発明の第９の実施形態における表示パネル１１，１２の配置について説明する。本実施形態では、表示パネル１１，１２の配置が表示パネル１の場合とは異なる。本実施形態において表示パネル１１，１２は、それぞれの表面１１ａ，１２ａが同一平面上になるように配置されない。つまり、本実施形態において表示パネル１１，１２は、自身の厚み方向にずらして並列に配置される。
【０１０２】
＜板状部の形状および配置＞
次に、図７（ｂ）を参照して本実施形態の板状部２８について説明する。本実施形態の板状部２８は、傾斜面部を有さず、全体が平面部のみで形成される。つまり、本実施形態の板状部２８は、略四角形の板である。
【０１０３】
次に、表示パネル１１，１２が上記のように配置された際の板状部１８，２８の配置について説明する。板状部２８が表示パネル１１の表面１１ａ上に配置されると、突出部２８ａが形成される。突出部２８ａは、表示パネル１１の外縁から表示パネル１１の表面１１ａの面方向へ突出する板状部２８の一部である。結果、表示パネル１１および板状部２８の外縁において段差が形成される。
【０１０４】
また、板状部１８が表示パネル１２の表面１２ａ上に配置されると、板状部１８のカバー体傾斜面１８２の少なくとも一部は、突出部２８ａの一方側（表示パネル１１側）の平面２８ｃと表示パネル１２の表面１２ａとで形成される領域Ｎに配置される。これにより、図７（ｂ）に示すように、板状部１８，２８によって重なり合い領域２８６が形成される。
【０１０５】
この際、板状部２８の他方側（観察者側）の平面２８ｂと平面部１８０の一方側の平面１８０ｃとは、同一平面上に配置される。結果、観察者９００から見て板状部１８，２８の表面は同一平面を構成するように見える。
【０１０６】
＜第１０の実施形態＞
＜全体構成＞
本発明の第１０の実施形態における表示装置２の全体構成は、表示装置１と略同様である。本発明の第１０の実施形態における表示装置２と表示装置１との相違点は表示体である。以下において相違点である表示体３０について説明する。
【０１０７】
＜表示体＞
図８，９を参照して本発明の第１０の実施形態における表示装置２の表示体３０について説明する。表示装置２は、図８（ａ）に示すように、表示体３０とカバー体１７とを備える。
【０１０８】
表示体３０は、図８（ａ）に示すように、少なくとも２つの表示パネル３１，３２を有する。表示パネル３１，３２は、図８（ｂ）に示すように、並列に配置可能である。表示パネル３１は、表示部３３と、非表示部３５とを備える。表示パネル３２は、表示部３４と、非表示部３６とを備える。表示部３３は、表示画面３３ａを有する。表示部３４は、表示画面３４ａを有する。表示画面３３ａ，３４ａには映像が表示される。非表示部３５，３６には映像が表示されない。非表示部３５，３６には、例えば、額縁（ベゼル）が配置される。
【０１０９】
また、表示部３３，３４は、それぞれ平面部３３２，３４２と傾斜面部３３３，３４３とを有する。平面部３３２，３４２と傾斜面部３３３，３４３とは、平面部３３２，３４２の一辺３３ｂ，３４ｂ部分において結合された態様になっている。
【０１１０】
傾斜面部３３３，３４３は、図８（ａ）および図９に示すように、それぞれ表示部傾斜面３７，３８を有する。表示部傾斜面３７，３８は、それぞれ平面部３３２，３４２の面方向の面内から面外へ向かう方向（以下、面方向外側と呼ぶ。）、かつ、平面部３３２，３４２の厚み方向の平面部３３２，３４２の表面３３２ａ，３４２ａ側から裏面３３２ｃ，３４２ｃ側へ向かう方向（以下、厚み方向裏側と呼ぶ。）へ傾斜する。なお、平面部３３２，３４２の面方向外側、かつ、平面部３３２，３４２の厚み方向裏側を以下、表示部傾斜方向と呼ぶ。
【０１１１】
具体的に表示部傾斜面３７は、図９に示すように、平面部３３２の表面３３２ａ側の外縁３３２ｂを起点として、平面部３３２の裏面３３２ｃ側の外縁３３２ｄまで表示部傾斜方向へ傾斜する。また、表示部傾斜面３８は、平面部３４２の表面３４２ａ側の外縁３４２ｂを起点として、平面部３４２の裏面３４２ｃ側の外縁３４２ｄまで表示部傾斜方向へ傾斜する。
【０１１２】
平面部３３２の表面３３２ａに対する表示部傾斜面３７の外縁３３２ｄ付近の傾斜角θ１は、略１００〜１２０度が好ましい。同様に、平面部３４２の表面３４２ａに対する表示部傾斜面３８の外縁３４２ｄ付近の傾斜角θ２は、略１００〜１２０度が好ましい。
【０１１３】
表示部３３，３４全体として見た場合、表示部傾斜面３７，３８は、図８（ａ）に示すように、表示部３３，３４の外縁３３１，３４１に沿って延設され、かつ、外縁３３１，３４１から所定の幅Ｆを有する表示部３３，３４の所定領域に形成される。
【０１１４】
以上のような表示部３３，３４は、例えば、有機エレクトロルミネッセンスパネル、液晶パネルにより形成可能である。
【０１１５】
非表示部３５，３６は、図８（ａ）に示すように、表示部傾斜面３７，３８から平面部３３２，３４２の厚み方向裏側へ延設される。この際、非表示部３５，３６は、表示部３３，３４の外縁３３２ｄ，３４２ｄよりもわずかに面方向外側へ延設されることもある。このわずかに延設される部分が、図９に示す非表示部延設部３５ａ，３６ａである。なお、非表示部延設部３５ａ，３６ａがない場合も本発明に含まれる。
【０１１６】
＜板状部の配置＞
次に、図９を参照して表示パネル３１，３２が並列に配置された際の板状部１８，１９の配置について説明する。板状部１８は、表示パネル３１の表面３３２ａの観察者９００側に配置される。板状部１８の外縁１８１は、表示パネル３１の表面３３２ａの面垂直方向から見て、表示パネル３１の表示部３３の外縁３３１よりも非表示部延設部３５ａ側に配置される。
【０１１７】
また、板状部１８の外縁１８１は、表示パネル３１の表面３３２ａの面垂直方向から見て、非表示部延設部３５ａの外縁３５ｂよりも表示パネル３２側に配置されてもよいし、非表示部延設部３５ａの外縁３５ｂよりも表示パネル３１側に配置されてもよい。板状部１９についても板状部１８と同様であり、板状部１８の説明を板状部１９に適宜適用である。
【０１１８】
上記以外の表示パネル３１，３２に対する板状部１８，１９の配置は、表示パネル１１，１２に対する板状部１８，１９の配置と同様であり、表示パネル１１，１２に対する板状部１８，１９の配置の説明を本実施形態でも適宜適用可能である。
【０１１９】
以上のように配置される板状部１８，１９におけるカバー体傾斜面１８２，１９２は、図９（ｂ）に示すように、それぞれ表示部傾斜面３７，３８に表示される映像を凸レンズに作用により観察者９００に見えるように面方向外側へシフトさせる。（図９（ｂ）の一点鎖線参照）。これにより、表示部傾斜面３７，３８の映像が板状部１８，１９の平面上に連続して繋がって表示されるように観察者９００には見える。また、同時に、非表示部延設部３５ａ，３６ａを観察者９００から見え難くすることができる。
【０１２０】
＜第１１〜１４の実施形態＞
＜全体構成＞
本発明の第１１〜１４の実施形態における表示装置の全体構成は、本発明の第１０の実施形態における表示装置と略同様である。本発明の第１１〜１４の実施形態における表示装置と本発明の第１０の実施形態における表示装置との相違点は板状部である。以下において相違点である本発明の第１１〜１４の実施形態における板状部について説明する。
【０１２１】
＜板状部の形状および配置＞
まず、図１０（ａ）を参照して本発明の第１１の実施形態の表示装置について説明する。図１０（ａ）に示す本発明の第１１の実施形態の表示装置のように、表示パネル３１，３２に板状部２４，２５を配置させてもよい。つまり、表示パネル３１，３２にプリズムを用いてもよい。このような傾斜面部がプリズムを構成するようなものも本発明に含まれる。
【０１２２】
図１０（ｂ）に示す本発明の第１２の実施形態の表示装置ように、表示パネル３１，３２に板状部１８，２０が配置されたものも本発明に含まれる。また、図１０（ｃ）に示す本発明の第１３の実施形態の表示装置ように、表示パネル３１，３２に板状部２１，２２が配置されたものも本発明に含まれる。また、図１０（ｄ）に示す本発明の第１４の実施形態の表示装置ように、表示パネル３１，３２に板状部１９，２６が配置されたものも本発明に含まれる。
【０１２３】
また、以上において説明した板状部１８〜２６のいずれかを組み合わせて構成されるカバー体が表示パネル３１，３２に配置されたその他の表示装置も本発明に含まれる。また、板状部１８〜２６のいずれかと、傾斜面部を有しない平面部のみで構成される板状部とが並列に配置されるカバー体が表示パネル３１，３２に配置された表示装置も本発明に含まれる。ただし、いずれの組み合わせであっても重なり合い領域を有するよう板状部は並列に配置される必要がある。
【０１２４】
＜第１５の実施形態＞
次に、図１１〜１４を参照して、本発明の第１５の実施形態の表示装置３について説明する。表示装置３は、図１１（ａ）に示すように、筐体４０と、筐体４０に収容される表示体４１と、表示体４１を移動自在にする移動機構５０とを有する。図１１（ｂ）に示すように、表示体４１は、第１表示ユニット４２と、第２表示ユニット４３とを有する。第１表示ユニット４２は、表示画面４４ａが設けられた表示パネル４４と、表示画面４４ａ上に配置された板状部４５を有する。第２表示ユニット４３は、表示画面４６ａが設けられた表示パネル４６と、表示画面４６ａ上に配置された板状部４７を有する。
【０１２５】
筐体４０には、図１１（ｂ）に示すように、第１表示ユニット４２を収納する第１収納エリア４８と、第２表示ユニット４３を収納する第２収納エリア４９が設けられる。移動機構５０は、図１２（ｂ）に示すように、第１表示ユニット４２をＸ方向に移動自在にする第１スライド機構５１と、第２表示ユニット４３をＺ方向に移動自在にする第２スライド機構５２とを有する。
【０１２６】
第１スライド機構５１は、図１２（ａ）に示すように、第１収納エリア４８と、第１収納エリア４８に隣接する隣接エリア５３との間で第１表示ユニット４２を移動自在にする。第２スライド機構５２は、第２収納エリア４９と第１収納エリア４８との間で第２表示ユニット４３を移動自在にする。
【０１２７】
第１表示ユニット４２と第２表示ユニット４３とを並列に配置させるには、図１３（ａ）に示すように、まず、第１スライド機構５１により第１表示ユニット４２を隣接エリア５３に向かって移動させる。第１表示ユニット４２を隣接エリア５３まで移動させた後に、図１３（ｂ）に示すように、第２スライド機構５２により第２表示ユニット４３を第２収納エリア４９から第１収納エリア４８へ向かって移動させる。
【０１２８】
ここで、第１表示ユニット４２を表示パネル３１および板状部１８で構成し，第２表示ユニット４３を表示パネル３２および板状部２０で構成したものとして、図１３（ｂ）の一点鎖線円形領域Ｐにおける第１表示ユニット４２および第２表示ユニット４３の動作を説明する。図１３（ｃ）に示す状態から図１３（ｄ）へ第２表示ユニット４３は移動するが、第２表示ユニット４３の移動可能範囲が板状部１８と板状部２０とが重なり合い領域Ｑで接触しない範囲、または、板状部１８と板状部２０とが重なり合い領域Ｑで当接する範囲であることが必要である。この場合、板状部１８，２０は、板状部１８，２０の表面１８０ｃ，２０ａが同一平面上になるように配置されることが好ましい。以上のようにして第１表示ユニット４２および第２表示ユニット４３を移動させると、図１２（ｂ）に示すように、第１表示ユニット４２および第２表示ユニット４３は並列に配置される。
【０１２９】
第１表示ユニット４２および第２表示ユニット４３を本発明の第１〜１５実施形態における表示装置における表示体およびカバー体で構成すれば、第１表示ユニット４２および第２表示ユニット４３を移動させても互いに接触しない、または当接する程度であるため、レンズやプリズム構成部分を破損させることがない。また、第１表示ユニット４２および第２表示ユニット４３の繋ぎ目の映像も連続した自然な状態で表示可能である。
【０１３０】
また、第１表示ユニット４２および第２表示ユニットは、上記のような移動態様に限定されない。第１表示ユニット４２および第２表示ユニットは、例えば、図１４（ａ）に示すように、Ｘ方向のみの移動態様であってもよい。また、第１表示ユニット４２および第２表示ユニットは、例えば、図１４（ｂ）に示すように、Ｚ方向のみの移動態様であってもよい。また、第１表示ユニット４２および第２表示ユニットは、Ｘ方向移動、Ｙ方向移動およびＺ方向移動のいずれかを組み合わせた移動態様であってもよい。
【０１３１】
また、本発明の第１〜１５実施形態における表示装置で説明したカバー体は、既存の表示パネルに後付け可能な構成にしてもよい。
【０１３２】
尚、本発明の表示装置は、上記した実施の形態に限定されるものではなく、本発明の要旨を逸脱しない範囲内において種々変更を加え得ることは勿論である。
【符号の説明】
【０１３３】
１，２，３  表示装置
１０，３０  表示体
１１，１２，３１，３２，４６，４７  表示パネル
１１ａ，１２ａ，３３２ａ，３４２ａ  表面
１１ｂ，１２ｂ，３３２ｃ，３４２ｃ  裏面
１３，１４，３３，３４  表示部
１３ａ，１４ａ，３３ａ，３４ａ，４４ａ，４６ａ  表示画面
１５，１６，３５，３６  非表示部
１７  カバー体
１８，１９，２０，２１，２２，２３，２４，２５，２６，４５，４７  板状部
２０ａ，２０ｂ，２１ａ，２１ｂ，１８０ｃ，２３０ａ，２３０ｃ  平面
３５ａ，３６ａ  非表示部延設部
３７，３８  表示部傾斜面
１００，２０５、２０７  重なり合い領域
３５ｂ，１３１，１４１，１５１，１６１，１８０ｂ，１８１，１９０ｂ，１９１，２００ｂ，２００ｃ，２０１，２１０ｂ，２１０ｃ，２１１，２２１，２３０ｂ，２３０ｄ，３３１，３３２ｂ，３３２ｄ，３４１，３４２ｂ，３４２ｄ  外縁
１８０，１９０，２００，２１０、２２０，２３０，３３２，３４２  平面部
１８２，１９２，２０３，２０４，２１３，２１４，２２３，２２４，２３３，２３４  カバー体傾斜面
１８２ａ  重なり合い面
１８２ｂ  非重なり合い面
１８５，１９５，２０２，２１２，２２２，２３２，２４５，２５５，３３３，３４３  傾斜面部
２０８  凹部
９００  観察者
【図１】
2018180148.tif 000003
【図２】
2018180148.tif 000004
【図３】
2018180148.tif 000005
【図４】
2018180148.tif 000006
【図５】
2018180148.tif 000007
【図６】
2018180148.tif 000008
【図７】
2018180148.tif 000009
【図８】
2018180148.tif 000010
【図９】
2018180148.tif 000011
【図１０】
2018180148.tif 000012
【図１１】
2018180148.tif 000013
【図１２】
2018180148.tif 000014
【図１３】
2018180148.tif 000015
【図１４】
2018180148.tif 000016